(57)【特許請求の範囲】
【請求項１】
躯体となる本体と、
刃リンク機構により駆動される一対の切抜刃の先端を互いに水平に開いた待機状態から下方向に垂直に立てた作動状態にして複数枚の用紙を切抜く切抜部と、テープカセットに収納され剥離可能に貼着された貼着テープを有する剥離テープをテープ供給台を介してテープ供給端で下方に屈曲させ前記貼着テープのみを剥離させて該貼着テープを前記切抜部の一対の前記切抜刃の間に設けたテープ支持台に供給し定置するための供給部と、レバーの下降作動により前記切抜刃を作動させる作動部と、
一対の前記切抜刃の間に定置された前記貼着テープを待機状態の前記切抜刃に内挿して作動状態にした前記切抜刃と共に用紙に挿通させテープ曲げ片で用紙裏面に折り込んで貼り合せる貼付け部と、
複数枚の用紙を用紙台に載置して固定する用紙押え板と空綴じ防止機構を設けた用紙載置部と、を備えた綴じ具。
【請求項２】
前記本体は、上部に前記切抜部を内蔵する駆動箱と、前記用紙載置部と前記供給部を支持する台座と、前記本体全体を支える側板と、前記貼付け部を内蔵する底板を備え、
前記切抜部は、刃ケースに押しリングと切刃押し棒と切刃リンクを設け、刃リンク部を有した前記一対の切抜刃を互いに待機状態から作動状態に駆動する前記刃リンク機構を内蔵し、前記刃ケースには前記切抜刃を作動後に待機状態に復帰させる主復帰ばねと、復帰作動時の前記切抜刃の誤作動を防止するロックピンと、一対の前記切抜刃の間には前記貼着テープを定置する前記テープ支持台と、前記駆動箱側面には前記貼付け部を動作するためのスライドカムを備え、
前記供給部は、前記貼着テープを有する前記剥離テープを渦巻き状に巻き取ったテープリールと、前記剥離テープを案内する前記テープ供給台と、該テープ供給台の下部には前記テープ支持台に前記貼着テープを供給するために作動時の前記用紙台の移動を受けて前記用紙台に設けた供給座により供給受座を有する送り台を後方に移動させることにより前記貼着テープを剥離した前記剥離テープの送り穴に送り爪を挿入して前記剥離テープを引っ張り前記テープ支持台に前記貼着テープを１枚分づつ送り出す前記送り台と、
前記刃ケースの上下作動範囲から前記テープ供給台を逃すカセット固定台とを有する前記テープカセットを設け、前記台座には前記テープカセットを取り外し自在にしたスライド台座を備え、
前記用紙載置部は、前記台座に綴じようとする複数枚の用紙を載せる前記用紙台と、用紙台軸を介して設けた用紙をずれないように押える前記用紙押え板と、前記用紙押え板には把手部と止め軸と、前記空綴じ防止機構として該止め軸には用紙が載置されてない時に前記用紙台の移動を止めるスライド止めと、前記用紙台には用紙が載置されてない時に前記レバーの下降を止める下降ストッパを備え、
前記作動部は、綴じ作動をする前記レバーを備え、前記レバーはレバー軸を支点にして下方に回転し、前記レバーに連結した操作プレートを設け、該操作プレートは前記刃ケースを接続し、下部に前記貼付け部を動作させるための操作カムと押し操作面と空綴じ防止の突起部を設け、前記レバー軸には前記レバーの作動中、途中で下降作動を中断した場合の不具合を防止する戻り防止機構を備え、
前記貼付け部は、前記操作カムにより動作する前記スライドカムの作動で下降する支えピースを設け、該支えピースの下端には下部作動棒を介して結合した逆向防止爪と、下部レバーとリンクばね、およびＶリンクを介して前記テープ曲げ片を水平移動するように設け、該下部レバーを介して前記貼着テープを用紙裏面に貼り付ける押付け棒を設け、上部には前記押し操作面の押付け力を圧縮力として蓄える下作動ばねを設けた操作受け棒と、を備えた請求項１記載の綴じ具。
【請求項３】
前記本体は、上部に前記切抜部を内蔵する改駆動箱と、前記用紙載置部と前記供給部を支持する改台座と、前記本体全体を支える改側板を備え、
前記切抜部は、刃ケースに押しリングと切刃押し棒と切刃リンクを設け、刃リンク部を有した前記一対の切抜刃を互いに待機状態から作動状態に駆動する前記刃リンク機構を内蔵し、前記刃ケースには前記切抜刃を作動後に待機状態に復帰させる主復帰ばねと、復帰作動時の前記切抜刃の誤作動を防止するロックピンと、一対の前記切抜刃の間には前記貼着テープを定置する前記テープ支持台を備え、
前記供給部は、前記貼着テープを有する前記剥離テープを渦巻き状に巻き取ったテープリールと、前記剥離テープを案内する前記テープ供給台と、該テープ供給台の下部には前記テープ支持台に前記貼着テープを供給するために作動時の前記用紙台の移動を受けて前記用紙台に設けた供給座により供給受座を有する送り台を後方に移動させることにより前記貼着テープを剥離した前記剥離テープの送り穴に送り爪を挿入して前記剥離テープを引っ張り前記テープ支持台に前記貼着テープを１枚分づつ送り出す前記送り台と、
前記刃ケースの上下作動範囲から前記テープ供給台を逃すカセット固定台とを有する前記テープカセットを設け、前記改台座には前記テープカセットを取り外し自在にしたスライド台座を備え、
前記用紙載置部は、前記改台座に綴じようとする複数枚の用紙を載せる前記用紙台と、用紙台軸を介して設けた用紙をずれないように押える前記用紙押え板と、前記用紙押え板には把手部と止め軸と、前記空綴じ防止機構として該止め軸には用紙が載置されてない時に前記用紙台の移動を止めるスライド止めと、前記用紙台には用紙が載置されてない時に前記レバーの下降を止める下降ストッパを備え、
前記作動部は、綴じ作動をする前記レバーを備え、前記レバーはレバー軸を支点にして下方に回転し、前記レバーに連結した改操作プレートを設け、該改操作プレートは前記刃ケースを接続し、下部に前記貼付け部を動作させるためのストロークカムと空綴じ防止の突起部を設け、前記レバー軸には前記レバーの作動中、途中で下降作動を中断した場合の不具合を防止する戻り防止機構を備え、
前記貼付け部は、前記本体下部の前記改側板の内側で上下方向に摺動する貼付けケースに内蔵されており、該貼付けケースには前記ストロークカムにより動作するスライドピースと、前記貼付け部を支える下部支持ばねとリンクばね、およびＶリンクを介して前記テープ曲げ片を水平移動するように設け、前記貼着テープを用紙裏面に貼り付ける改押付け棒を設け、後方上部には復帰作動時の前記貼付け部の誤作動を防止するロックピースと、ロックカムと、を備えた請求項１記載の綴じ具。
【発明の詳細な説明】
【技術分野】
【０００１】
本発明は、複数枚の用紙を重ね合わせた端部を一体的に綴じ合わせる用紙綴じ具であり、特に金属製の針を使用しない方式の綴じ具に関する。
【背景技術】
【０００２】
複数枚の用紙の綴じ具としては、金属製の針を用いたステープラによって綴じ合せる方法が一般的である。しかし、最近の循環型環境社会においては紙資源の再利用の観点から、金属製の針を使用しないで複数枚の用紙を綴じることが出来るステープラが実用化されている。
【０００３】
従来、金属製の針を使用しないで複数枚の用紙を綴じる綴じ具としては、大きく分けて２種類の方法が提案されている。第１の方法は、複数枚の用紙に第１ポンチおよび第２ポンチにより抜き穴を形成し、その抜き穴から切り起こされた舌状片を折り曲げて、抜き穴に挿通させることにより、それら複数枚の用紙を相互に綴じるものである。（例えば、特許文献１参照）。
【０００４】
第２の方法は、複数枚の用紙を金属針に代わり金属製の刃体により、用紙にテープ通し孔を１ヶ所穿孔し、片面に接着剤が付いた貼着テープを上下面に挿通して、貼り付け綴じるものである（例えば、特許文献２参照）。
もう一つの第２の方法は、向い合せの２つの抜き刃により、書類束にステープル通し穴を２ヶ所穿孔し、接着剤が付いた脚部を有する非金属材料のステープルを上下面に挿通して、下面で脚部同士を貼り合せて綴じるものである。（例えば、特許文献３参照）。
【先行技術文献】
【特許文献】
【０００５】
【特許文献１】特許第２９０３４９２号公報
【特許文献２】特許第３１２２８０７号公報
【特許文献３】特開２０１４−１１３６８０号公報
【発明の概要】
【発明が解決しようとする課題】
【０００６】
前記特許文献１はステープル不要で構造が簡潔なため使いやすい綴じ具である。
この文献に記載されている方法によれば、レバーにより抜き穴から切り起こされた舌状片を、折り曲げて抜き穴に挿通し、複数枚の用紙同士を絡ませて綴じるため、綴じられた用紙を揺すると綴じが外れ易く完全に綴じたことにはならない。このため、大切な書類などはこの方法で綴じることには不安が生じるという問題がある。
【０００７】
前記特許文献２は、巧みで優れたコンパクト構造の綴じ具である。
この文献に記載されている方法によれば、貼着テープで書類束を綴じる場合、書類の一辺と、刃体により書類に通した通し穴を貼着テープで繋いで綴じる方法であるが、書類には１ヶ所の通し穴のため、綴じられた用紙を揺すると用紙同士にずれが生じる。このため、大切な書類などは、綴じた近辺にもう１ヶ所綴じて、用紙同士がずれないようにすることが必要になるという問題がある。
【０００８】
前記特許文献３は、高度な機構を巧みに駆使した極めて優れた構造の綴じ具である。
この文献に記載されている方法によれば、書類束を紙製のステープルで綴じる作動に於いて、一連の綴じ作動を操作ハンドルの上下作動のみで行うため、綴じ動作が極めて簡単で使いやすい。反面、一つの上下動作のみで紙綴じを実現するため、高度な精密機構となり複雑化する。また、書類束を用紙載置台にセットせずに操作ハンドルを操作する空綴じを行った場合、ステープルがステープラの内部に詰まり、次の綴じ作動が出来ないという不具合が生じる問題がある。
【０００９】
本発明は、上記従来技術の問題点を解決することを課題とする。
具体的には、複数枚の用紙を非金属材料のステープルで綴じる一連の綴じ作動を、用紙台の前後進作動とレバーの上下作動の二ヶ所に分散して、綴じ具の小型化と簡素化を図る。
さらに、児童が使用した場合を考えて、用紙を載せないで綴じる場合の不具合を無くす空綴じ防止機構と、レバー作動を途中で中断した場合の不具合を無くす戻り防止機構を設ける。これにより、児童が予期せぬ取扱いを行った場合にも対処出来るコンパクトな綴じ具を提供する。
【課題を解決するための手段】
【００１０】
請求項１に係る綴じ具は、
躯体となる本体と、
刃リンク機構により駆動される一対の切抜刃の先端を互いに水平に開いた待機状態から下方向に垂直に立てた作動状態にして複数枚の用紙を切抜く切抜部と、テープカセットに収納され剥離可能に貼着された貼着テープを有する剥離テープをテープ供給台を介してテープ供給端で下方に屈曲させ前記貼着テープのみを剥離させて該貼着テープを前記切抜部の一対の前記切抜刃の間に設けたテープ支持台に供給し定置するための供給部と、レバーの下降作動により前記切抜刃を作動させる作動部と、
一対の前記切抜刃の間に定置された前記貼着テープを待機状態の前記切抜刃に内挿して作動状態にした前記切抜刃と共に用紙に挿通させテープ曲げ片で用紙裏面に折り込んで貼り合せる貼付け部と、
複数枚の用紙を用紙台に載置して固定する用紙押え板と空綴じ防止機構を設けた用紙載置部とを備えている。
【００１１】
この構成は、綴じる対象の複数枚の用紙に、刃リンク機構で駆動される一対の切抜刃により通し穴を明け、貼着テープを用紙裏面に貫通させて折込み貼り付ける作動を、切抜部と供給部と作動部と貼付け部および用紙載置部の五つの基本構造部で構成することにより、簡単な操作で不具合も生じにくい綴じ具が可能になる、などの課題を解決するための手段を有している。
【００１２】
請求項２に係る綴じ具は、
前記本体は、上部に前記切抜部を内蔵する駆動箱と、前記用紙載置部と前記供給部を支持する台座と、前記本体全体を支える側板と、前記貼付け部を内蔵する底板を備え、
前記切抜部は、刃ケースに押しリングと切刃押し棒と切刃リンクを設け、刃リンク部を有した前記一対の切抜刃を互いに待機状態から作動状態に駆動する前記刃リンク機構を内蔵し、前記刃ケースには前記切抜刃を作動後に待機状態に復帰させる主復帰ばねと、復帰作動時の前記切抜刃の誤作動を防止するロックピンと、一対の前記切抜刃の間には前記貼着テープを定置する前記テープ支持台と、前記駆動箱側面には前記貼付け部を動作するためのスライドカムを備え、
前記供給部は、前記貼着テープを有する前記剥離テープを渦巻き状に巻き取ったテープリールと、前記剥離テープを案内する前記テープ供給台と、該テープ供給台の下部には前記テープ支持台に前記貼着テープを供給するために作動時の前記用紙台の移動を受けて前記用紙台に設けた供給座により供給受座を有する送り台を後方に移動させることにより前記貼着テープを剥離した前記剥離テープの送り穴に送り爪を挿入して前記剥離テープを引っ張り前記テープ支持台に前記貼着テープを１枚分づつ送り出す前記送り台と、
前記刃ケースの上下作動範囲から前記テープ供給台を逃すカセット固定台とを有する前記テープカセットを設け、前記台座には前記テープカセットを取り外し自在にしたスライド台座を備え、
前記用紙載置部は、前記台座に綴じようとする複数枚の用紙を載せる前記用紙台と、用紙台軸を介して設けた用紙をずれないように押える前記用紙押え板と、前記用紙押え板には把手部と止め軸と、前記空綴じ防止機構として該止め軸には用紙が載置されてない時に前記用紙台の移動を止めるスライド止めと、前記用紙台には用紙が載置されてない時に前記レバーの下降を止める下降ストッパを備え、
前記作動部は、綴じ作動をする前記レバーを備え、前記レバーはレバー軸を支点にして下方に回転し、前記レバーに連結した操作プレートを設け、該操作プレートは前記刃ケースを接続し、下部に前記貼付け部を動作させるための操作カムと押し操作面と空綴じ防止の突起部を設け、前記レバー軸には前記レバーの作動中、途中で下降作動を中断した場合の不具合を防止する戻り防止機構を備え、
前記貼付け部は、前記操作カムにより動作する前記スライドカムの作動で下降する支えピースを設け、該支えピースの下端には下部作動棒を介して結合した逆向防止爪と、下部レバーとリンクばね、およびＶリンクを介して前記テープ曲げ片を水平移動するように設け、該下部レバーを介して前記貼着テープを用紙裏面に貼り付ける押付け棒を設け、上部には前記押し操作面の押付け力を圧縮力として蓄える下作動ばねを設けた操作受け棒とを備えている。
【００１３】
この構成は、請求項１の主要な構成部品を、より具体的にしたものであり、後述の実施例１に該当する。
この構成によれば、綴じ具全体は本体で支えられている。切抜部は、切抜刃を綴じ作用に応じた動きをさせるために刃リンク機構が設けられ、それに付随して一対の切抜刃の間に貼着テープを定置するために、その支えになるテープ支持台を設け、切抜刃の切抜き作動後、待機状態に復帰するための主復帰ばねを備えている。
供給部は、貼着テープを有する剥離テープをテープカセットにセットし、作動時、一対の切抜刃の間に貼着テープを供給するテープ供給台と送り台を設け、切抜刃下降時にテープ供給台が刃ケースに接触しないようにカセット固定台を後退して逃す機能を備えている。また、テープカセットはスライド台座に取付けられ、スライド台座から取り外すことにより、貼着テープを巻き取ったテープリールの交換を可能にしている。
用紙載置部は、綴じようとする複数枚の用紙を用紙台に載置して、切抜刃が用紙を切抜き易いようにするために、把手部を持つ押え板で用紙をずれないようにしっかり押える。また、空綴じ防止機構として、用紙が載置されてない場合は、用紙台が所定の綴じ位置に移動しないようにするスライド止めや、レバーが下降しないようにする下降ストッパを備えているため、空綴じによる不具合を防止する。
作動部は、綴じ作動を行うレバーを主体に構成されており、レバーが操作プレートを連結し操作するが、この操作プレートは切抜刃を動かす刃リンク機構を下降作動させると共に、操作カムや押し操作面を備えているため、貼付け部を機能させる作動力も備える。また、レバー軸にはレバーによる下降作動を中断した場合の不具合防止のため、戻り防止機構が設けられている。
貼付け部は、レバーの下降作動で蓄えられる下作動ばねの圧縮力を受け、切抜刃で貼着テープを挿入した用紙の裏面でテープ曲げ片を作用させると共に、押付け棒を作用させて貼着テープを下面から押付け貼り付ける。
このように、主要な構成部品である切抜部と供給部と用紙載置部と作動部および貼付け部は、綴じ具の作動を確実に行うための機能を備え、さらに空綴じによる不具合の防止機構や戻り防止機構も備えており、課題を解決するための手段を有している。
【００１４】
請求項３に係る綴じ具は、
前記本体は、上部に前記切抜部を内蔵する改駆動箱と、前記用紙載置部と前記供給部を支持する改台座と、前記本体全体を支える改側板を備え、
前記切抜部は、刃ケースに押しリングと切刃押し棒と切刃リンクを設け、刃リンク部を有した前記一対の切抜刃を互いに待機状態から作動状態に駆動する前記刃リンク機構を内蔵し、前記刃ケースには前記切抜刃を作動後に待機状態に復帰させる主復帰ばねと、復帰作動時の前記切抜刃の誤作動を防止するロックピンと、一対の前記切抜刃の間には前記貼着テープを定置する前記テープ支持台を備え、
前記供給部は、前記貼着テープを有する前記剥離テープを渦巻き状に巻き取ったテープリールと、前記剥離テープを案内する前記テープ供給台と、該テープ供給台の下部には前記テープ支持台に前記貼着テープを供給するために作動時の前記用紙台の移動を受けて前記用紙台に設けた供給座により供給受座を有する送り台を後方に移動させることにより前記貼着テープを剥離した前記剥離テープの送り穴に送り爪を挿入して前記剥離テープを引っ張り前記テープ支持台に前記貼着テープを１枚分づつ送り出す前記送り台と、
前記刃ケースの上下作動範囲から前記テープ供給台を逃すカセット固定台とを有する前記テープカセットを設け、前記改台座には前記テープカセットを取り外し自在にしたスライド台座を備え、
前記用紙載置部は、前記改台座に綴じようとする複数枚の用紙を載せる前記用紙台と、用紙台軸を介して設けた用紙をずれないように押える前記用紙押え板と、前記用紙押え板には把手部と止め軸と、前記空綴じ防止機構として該止め軸には用紙が載置されてない時に前記用紙台の移動を止めるスライド止めと、前記用紙台には用紙が載置されてない時に前記レバーの下降を止める下降ストッパを備え、
前記作動部は、綴じ作動をする前記レバーを備え、前記レバーはレバー軸を支点にして下方に回転し、前記レバーに連結した改操作プレートを設け、該改操作プレートは前記刃ケースを接続し、下部に前記貼付け部を動作させるためのストロークカムと空綴じ防止の突起部を設け、前記レバー軸には前記レバーの作動中、途中で下降作動を中断した場合の不具合を防止する戻り防止機構を備え、
前記貼付け部は、前記本体下部の前記改側板の内側で上下方向に摺動する貼付けケースに内蔵されており、該貼付けケースには前記ストロークカムにより動作するスライドピースと、前記貼付け部を支える下部支持ばねとリンクばね、およびＶリンクを介して前記テープ曲げ片を水平移動するように設け、前記貼着テープを用紙裏面に貼り付ける改押付け棒を設け、後方上部には復帰作動時の前記貼付け部の誤作動を防止するロックピースと、ロックカムとを備えている。
【００１５】
この構成は、請求項１の主要な構成部品を、より具体的にしたものであり、後述の実施例２に該当する。
この構成によれば、綴じ具全体は本体で支えられている。切抜部は、切抜刃を綴じ作用に応じた動きをさせるために刃リンク機構が設けられ、それに付随して一対の切抜刃の間に貼着テープを定置するために、その支えになるテープ支持台を設け、切抜刃の切抜き作動後、待機状態に復帰するための主復帰ばねを備えている。
供給部は、貼着テープを有する剥離テープをテープカセットにセットし、作動時、一対の切抜刃の間に貼着テープを供給するテープ供給台と送り台を設け、切抜刃下降時にテープ供給台が刃ケースに接触しないようにカセット固定台を後退して逃す機能を備えている。また、テープカセットはスライド台座に取付けられ、スライド台座から取り外すことにより、貼着テープを巻き取ったテープリールの交換を可能にしている。
用紙載置部は、綴じようとする複数枚の用紙を用紙台に載置して、切抜刃が用紙を切抜き易いようにするために、把手部を持つ押え板で用紙をずれないようにしっかり押える。また、空綴じ防止機構として、用紙が載置されてない場合は、用紙台が所定の綴じ位置に移動しないようにするスライド止めや、レバーが下降しないようにする下降ストッパを備えているため、空綴じによる不具合を防止する。
作動部は、綴じ作動を行うレバーを主体に構成されており、レバーが改操作プレートを連結し操作するが、この改操作プレートは切抜刃を動かす刃リンク機構を下降作動させると共にストロークカムを備えており、貼付け部を作動させる機能も備えている。また、レバー軸にはレバーによる下降作動を中断した場合の不具合防止のため、戻り防止機構が設けられている。
貼付け部は、ストロークカムの作用により本体を下降させ、切抜刃で貼着テープを挿入した用紙の裏面でテープ曲げ片を作用させると共に、改押付け棒を作用させて貼着テープを下面から押付け貼り付ける。
このように、主要な構成部品である切抜部と供給部と用紙載置部と作動部および貼付け部は、綴じ具の作動を確実に行うための機能を備え、さらに空綴じによる不具合の防止機構や戻り防止機構も備えており、課題を解決するための手段を有している。
【発明の効果】
【００１６】
本発明に係る綴じ具によれば、
従来の非金属材料のステープルで綴じる綴じ具に比べて構造が簡素なため、綴じ具のコンパクト化が可能になり、さらに、空綴じ防止機構や戻り防止機構を設けているため、特に児童が使用しても故障し難い構造である。この児童が不安なく容易に綴じ具を扱うことが出来ることが本発明の最大の効果である。
また、これまで金属針の除去が面倒で廃棄物として廃棄していた紙資源の再利用が促進される効果をも有する。
【図面の簡単な説明】
【００１７】
【図１】実施例１の概要を示す斜視図である。
【図２】実施例１を示す正面外形図である。
【図３】実施例１を示す図２の上面外形図である。
【図４】実施例１を示す図２の前方から見た外形図である。
【図５】実施例１を示す図３のａ−ａ矢印に沿う正面断面図である。なお、ここで一対の切抜刃２は開いた状態であるが、図面では分かりやすくするため、直立にした状態にしている。
【図６】実施例１の示す図３のｂ−ｂ矢印に沿う断面図である。
【図７】本発明の切抜刃の形状を示す図面である。（ａ）は（ｂ）のｄ−ｄ矢印に沿う断面図である。（ｂ）は正面外形図である。
【図８】実施例１を示す図３のｃ−ｃ矢印に沿う正面断面図である。
【図９】実施例１を示す図４の下方を断面にした図面である。
【図１０】本発明の貼着テープを用紙に綴じた断面図である。
【図１１】実施例１の本体の斜視図である。
【図１２】本発明の剥離テープに貼着テープを配置した図面である。
【図１３】本発明の用紙載置部の詳細を示す正面断面図である。
【図１４】本発明の用紙載置部の詳細を示す上面図である。
【図１５】本発明の用紙載置部の作用を示す正面断面図である。（ａ）は用紙載置部に用紙を挿入する直前を示す正面断面図である。（ｂ）は用紙載置部に用紙を挿入した正面断面図である。
【図１６】本発明の供給部の作用を示す正面断面図で、綴じ具の待機状態図である。
【図１７】本発明の供給部の作用を示す正面断面図で、貼着テープをテープ支持台に供給した状態図である。
【図１８】本発明の供給部の作用を示す正面断面図で、カセット固定台が後退して、レバーによる下降作動の準備が出来た状態図である。
【図１９】本発明のテープカセットの全体を示す正面断面図である。（ａ）はテープカセットを正規の取り付け状態図である。（ｂ）は本体のスライド台座からテープカセットを取り外した状態図である。
【図２０】本発明のテープカセットに剥離テープを取り付ける状態図である。
【図２１】本発明の用紙載置部の作用を示す断面図で、用紙を載置した用紙台を手で押して所定の作動可能位置まで押しこんだ状態図である。
【図２２】本発明の刃リンク機構を示す断面図で、レバーにより切抜刃を垂直に立てた状態図である。
【図２３】本発明のテープ支持アームの作用を示す断面図である。（ａ）はテープ支持アームの待機状態を示す状態図である。（ｂ）は切抜刃の下降によりテープ支持アームが揺動した状態図である。（ｃ）はテープ支持アームの支持台ばねの取り付けを示す断面図である。（ｄ）はテープ支持アームを前方から見た断面図で、切抜刃が下降した状態図である。
【図２４】実施例１の切抜刃が用紙を切抜いた状態を示す前方から見た断面図である。
【図２５】実施例１のテープ曲げ片が貼着テープを、用紙裏面に折り曲げた状態を示す前方から見た断面図である。
【図２６】実施例１の押付け棒が用紙裏面に折り曲げられた貼着テープを、下方から押し付けて貼り付けた状態を示す、前方から見た断面図である。
【図２７】実施例１の貼付け部の作動力を下作動ばねに蓄える直前の正面断面図である。
【図２８】実施例１の貼付け部の作動力を下作動ばねに蓄えた状態を示す正面断面図である。
【図２９】実施例１の貼付け部が作動した状態を示す正面断面図である。
【図３０】実施例１の貼付け部が作動後、瞬時に待機状態に復帰した状態を示す正面断面図である。
【図３１】実施例１の貼付け部の下部レバーに設けた下部ねじりばねの作用を示す上面図である。
【図３２】本発明のレバー軸に設けた戻り防止機構で、レバーによる下降作動を途中で中断した時の不具合を防止する機構を示す正面断面図である。（ａ）は綴じ具が待機状態の図面である。（ｂ）はレバーにより下降作動を始めた状態図である。（ｃ）は綴じ具が綴じ作動を完了した状態図である。（ｄ）は綴じ具が復帰作動を始めた状態図である。
【図３３】本発明の刃ケースに設けたもので、綴じ具を復帰させる場合、切抜刃の誤作動を防止する機構を示す駆動箱周りの正面断面図である。（ａ）は綴じ具が待機状態の図面である。（ｂ）はレバーにより下降作動の状態図である。（ｃ）は綴じ具が綴じ作動を完了した状態図である。
【図３４】実施例２の正面断面図であり、実施例１の図８に相当する。
【図３５】実施例２の正面断面図であり、切抜刃が用紙を貫通した状態図である。
【図３６】実施例２の正面断面図であり、貼付け部が作動した状態図である。
【図３７】実施例２の前方から見た断面図である。
【図３８】実施例２の本体の斜視図である。
【発明を実施するための形態】
【００１８】
本発明を実施するための形態について、実施例１および実施例２に基づいて説明する。
なお、本発明の綴じ方法の基本は、図１０に示すように複数枚の用紙Ｙに切抜穴ＹＨを左右対称に２か所形成し、両端部分に接着剤を塗布した貼着テープ２０を切抜穴ＹＨに挿通し、用紙裏面で貼り合せることにより、それら複数枚の用紙Ｙを強固に綴じるようにしたものである。図中、同一の符号は同一または対応の部分を示し、図面に向かって右側を前方、左側を後方とし、上側を上方、下側を下方とする。
【実施例１】
【００１９】
図１は実施例１の概要を示す斜視図である。
レバー形の綴じ具１００の主要部は、用紙Ｙを切抜くための一対の切抜刃２を駆動する切抜部K周りと、貼着テープ２０を切抜部Ｋに供給する供給部Ｔ周りと、綴じ具１００をレバー３０で作動させる作動部Ｌ周りと、貼着テープ２０を用紙裏面で貼り合せる貼付け部Ｐ周り、および用紙Ｙを綴じ具１００に装填する用紙載置部Ｍ周りで構成されている。
なお、綴じ具１００の全ての部品は、本体１により支持されている。本体１は図１１に示すように、中心部に切抜部Ｋを収納する駆動箱１Ａと、各構成部分を配置する台座１Ｂと、本体全体を支える側板１Ｓと、貼付け部Ｐを内蔵する底板１Ｄで形成されている。
【００２０】
綴じ具１００の外形を図２〜図４に示し、概要を説明する。
切抜部K周りは、用紙Ｙを切り抜く一対の切抜刃２を下部に設け、切抜刃２の間に、貼着テープ２０をレバー３０による下降作動時に支えるテープ支持アーム５を備えている。この切抜刃２は駆動箱１Ａ内に設けられた後述の刃リンク機構２Ｙで駆動される。また、駆動箱１Ａの上部には作動後の切抜刃２を復帰させる主復帰ばね４を設けている。
供給部Ｔ周りは、貼着テープ２０を巻き取ったテープリール２１を収納するテープカセット２２を設けている。
作動部Ｌ周りは、綴じ具１００の綴じ作動をするレバー３０を備え、レバー３０はレバー軸３０Ａを支点にして下降作動すると共に、操作ピン３３により連結された操作プレート３４を設けている。操作プレート３４は後述の押しリング２Ｈを接続し、下部に後述の操作カム３５と押し操作面３６と突起部３７を設けている。
【００２１】
貼付け部Ｐ周りは、上部の操作プレート３４に設けた後述の操作カム３５と押し操作面３６により動作する。下部には貼着テープ２０を折り曲げるばねケース５４を設け、折り曲げた貼着テープ２０を用紙Ｙに確実に接着させる押付け棒５６を備え、このばねケース５４と押付け棒５６を押し上げる下部レバー５２を設けている。
用紙載置部Ｍ周りは、台座１Ｂに綴じようとする複数枚の用紙Ｙを載せる用紙台７０を設け、綴じる際に用紙Ｙの上面を押さえて複数枚の用紙Ｙがずれることなく確実に綴じられるようにする用紙押え板７１を備えている。
【００２２】
次に、各主要部の詳細構造について図５〜図９により説明する。
切抜部K周りは、図５および図６のように刃リンク機構２Ｙを中心に構成されている。
刃リンク機構２Ｙは、刃ケース３に内蔵され、一対の切抜刃２を、一体形状の刃リンク部２Ｂを介して駆動する。
刃リンク機構２Ｙは、レバー３０の下降作動力を操作プレート３４の接続部３８から押しリング２Ｈを介して、切刃押し棒２Ｆと上刃軸２Ｅと一対の切刃リンク２Ｄと中刃軸２Ｃと、刃リンク部２Ｂを介して下刃軸２Ａを中心に切抜刃２を下方回転する。なお、下刃軸２Ａは刃ケース３に取付けられている。また、押しリング２Ｈには切抜刃２を作動後に待機状態に復帰させる刃復帰ばね２Ｇが設けられている。
【００２３】
切抜刃２の刃元の形状は、貼着テープ２０を内挿できる構造になっている。図７に示すように先端は用紙Ｙを切抜くための矢じり状で、一対で構成される内側は勾配の無い直線２Ｓで構成され、外側は切抜いた切抜穴ＹＨを外側に広げる勾配２Ｕが設けられている。
また、切抜刃２の内側は後述のテープ曲げ片５５Ｃを挿通させる曲げ穴２Ｉが設けられ、その内側には貼着テープ２０を配置するテープ溝２Ｊが設けられている。さらにテープ溝２Ｊの内側には切抜刃２が復帰上昇する場合、用紙に貼り付けられた貼着テープ２０を傷付けないようスムーズに上昇するためテープ逃し溝２Ｋが設けられている。
【００２４】
図５および図６に示すように一対の切抜刃２の内側に、貼着テープ２０を作動時に支えるテープ支持アーム５を備えている。テープ支持アーム５はアーム軸５Ｂを回転中心として、先端のテープ支持台５Ａを揺動する。このテープ支持台５Ａに貼着テープ２０を定置する。
ここで、テープ支持アーム５の機構を図２３に示す。図２３（ａ）はレバー３０の作動前の待機状態を示す。テープ支持アーム５の上部のアーム軸５Ｂ部分に支持台カム５Ｃが設けられている。また、アーム軸５Ｂの両端には図２３（ｃ）に示すように、支持台ばね５Ｄが設けられている。この支持台ばね５Ｄはねじりばねで、そのねじり力は図２３（ｂ）のようにテープ支持アーム５を常に切抜刃２から外れる方向に作用している。
なお、支持台カム５Ｃの下部には刃ケース３と一体のケースカム３Ｂが設けられており、
図２３（ａ）のように、常時は支持台カム５Ｃと互いに接触している。
【００２５】
供給部Ｔ周りの詳細を図５に示し、供給部Ｔに適用される貼着テープ２０の形状と構成を図１２に示す。貼着テープ２０はテープリール２１に巻き取るため、剥離テープ２０Ａの表面に貼り付けられている。この剥離テープ２０Ａ上には貼着テープ２０と一対の送り穴２０Ｄが交互に設けられている。また、貼着テープ２０は中央にクラウン部２０Ｃを有し、両端に貼着面２０Ｂを設けている。なお貼着面２０Ｂは剥離テープ２０Ａ側に接着剤を塗布している。
【００２６】
図５に示すように、貼着テープ２０を有する剥離テープ２０Ａを、渦巻き状に巻き取ったテープリール２１は、テープカセット２２のカセットボックス２２Ｐに収納される。
テープカセット２２は、前方下部にテープ供給口２２Ｖとテープ供給台２２Ｂを備えている。また、テープ供給台２２Ｂの下面にはテープ排出通路２２Ｃと、テープ排出口２２Ａが設けられ、テープ排出通路２２Ｃの下面には戻り防止爪２２Ｄおよびテープ送り爪２２Ｅが備えられている。この戻り防止爪２２Ｄは逃し受座２２Ｎを有するカセット固定台２２Ｋに固定され、テープ送り爪２２Ｅは、前方に供給受座２２Ｆを有する送り台２２Ｈと一体的に設けられている。送り台２２Ｈは後方に送り復帰ばね２２Ｇを備え前後移動可能にしている。この送り復帰ばね２２Ｇの後端はカセット固定台２２Ｋに接続している。
また、テープカセット２２はカセット固定台２２Ｋに設けられたカセット軸２２Ｉを回転軸として、テープ供給台２２Ｂと共に後方に回転可能である。
【００２７】
カセット固定台２２Ｋは、後方に装着軸２２Ｊを設けている。
装着軸２２Ｊは、カセット固定台２２Ｋを載せるスライド台座２３の後方の挿入部２２Ｌに挿入し装着されている。スライド台座２３は、台座１Ｂに引張ばね２２Ｍで連結され、常に前方に引っ張られて固定している。
【００２８】
次に作動部Ｌ周りの詳細を図３，図８に示す。
レバー３０はレバー軸３０Ａを軸にして下方に回転し、レバー３０の側面には操作長穴３２を設け、内部に操作ピン３３を挿入している。操作ピン３３はレバー３０の上部中央に位置する操作プレート３４と一体的に取り付いている。
操作プレート３４は両端に操作ピン３３を設けると共に、下部に後述の貼付け部Ｐ周りを動作させるための操作カム３５と押し操作面３６を設け、後方には空綴じ防止の突起部３７を備えている。また、操作プレート３４の中央部分には押しリング２Ｈに接続する接続部３８を設けている。
【００２９】
次に貼付け部Ｐ周りの詳細を図８，図９に示す。
用紙裏面で貼着テープ２０を折り曲げて接着する作動について、作動順に構造を説明する。
スライドカム５０は、図８に示すように中央部分に操作カム３５が挿入されるカム穴５０Ａを設け、後方に支えピース５１の下降を支えるカム座５０Ｂと、前方にスライドカム５０を復帰させるカム復帰ばね５０Ｃが設けられている。
カム座５０Ｂに下降することを止められている支えピース５１は、後方に押し操作面３６からの操作力を受ける操作受け棒５１Ａを設け、その外周に操作力を蓄える下作動ばね５１Ｂと支えピース５１の復帰のために下作動復帰ばね５１Ｃを設け、後方には支えピース５１と一体化した下部作動棒５１Ｅが設けられている。
【００３０】
下部作動棒５１Ｅの下方は、本体１の台座１Bを貫通して下部取り付台５１Ｆを備え、下部取り付け台５１Ｆには爪ばね５１Ｈ内蔵の逆向防止爪５１Ｇを設けている。
逆向防止爪５１Ｇの先端下部は下部レバー５２の先端の爪レバー５２Ａを引っ掛けている。
下部レバー５２は、後方の先端に爪レバー５２Ａが設けられ、下部ねじりばね５２Ｃを有する下軸５２Ｂを揺動中心にして、前方のレバー先端に下部ピン５３が設けられている。下部ピン５３は一端を押付け棒５６に固定され、他端を一対のばねケース５４に挿入されている。ばねケース５４は、内部にリンクばね５４Ａを備え、上方にリンクロッド５４Ｂを設けており、上部で一対のＶリンク５５を連結駆動している。また、押付け棒５６は内部の下部ガイド５７により上下動可能になっており、上部にテープ曲げ片５５Ｃが出入りする曲げ片溝５６Ａが設けられている。
【００３１】
一対のＶリンク５５は、前リンク５５Ａと後リンク５５Ｂからなり、前リンク５５Ａの先端にはテープ曲げ片５５Ｃが設けられている。一対のＶリンク５５の中心部には切抜刃２を挿入可能な刃筒５８が設けられている。刃筒５８の下部中心部分には押付け棒５６が挿入され、上下動可能になっている。
【００３２】
次に用紙載置部Ｍ周りの詳細を図１３および図１４に示す。
本体１の台座１Ｂの最前方に、綴じようとする複数の用紙Ｙを載置する用紙台７０を備えている。用紙台７０には用紙台ばね７０Ｃを有する用紙台軸７０Ａを介して用紙押え板７１を設け、用紙押え板７１は、前方に把手部７１Ａと止め軸７２Ａを備え、止め軸７２Ａには空綴じ防止機構Ｎのスライド止め７２を設けている。このスライド止め７２の先端の移動止め部７２Ｂは、台座１Ｂに設けられたへこみ部７０Ｂに挿入され、後方への動きが止められている。同じく空綴じ防止機構Ｎとして用紙台７０の後方に綴じ防止の下降ストッパ７０Ｄが設けられている。
また、用紙台７０の後方には、貼着テープ２０を供給するためと、作動時にカセット固定台２２Ｋを後方に逃すための供給座７０Ｅが設けられている。
【００３３】
次に、本発明の作用について図１５〜図３３で詳細説明する。
作用については、複数の用紙Ｙを用紙台７０に載置する準備作業と、テープカセット２２からの貼着テープ２０の供給機能、そして、レバー３０による押下げ作動で複数枚の用紙Ｙを綴じる作動、および、貼着テープ２０を用紙裏面で折り曲げて接着する作業を作用順に説明する。
【００３４】
まず、複数枚の用紙Ｙを用紙台７０に載置する準備作業については、図１５（ａ）および（ｂ）に示すように、最初に用紙押え板７１の把手部７１Ａを軽く持ち上げて用紙Ｙを用紙台７０との隙間に挿入する。この時、用紙Ｙはスライド止め７２を押し退けて後方に止まるまで挿入する。このように、挿入時、用紙Ｙはスライド止め７２を押し退ける必要があるが、このスライド止め７２の役目は、用紙台７０が用紙Ｙを載せない限り、綴じ作動時の所定の位置まで移動出来ないようにした空綴じを防止する手段である。
【００３５】
図１５（ａ）に示すようにスライド止め７２は、上端を止め軸７２Ａで支えられ、下端の移動止め部７２Ｂが用紙台７０の下の台座１Ｂのへこみ部７０Ｂに接地しており、用紙Ｙの挿入により、図１５（ｂ）のように移動止め部７２Ｂが、止め軸７２Ａを支点に回転して台座１Ｂのへこみ部７０Ｂから外れる。このため用紙台７０は用紙Ｙを載せた状態で後方への移動が可能になる。ここで、スライド止め７２は止め軸７２Ａを支点に回転するため、用紙Ｙがスライド止め７２を押し退ける際の抵抗力は極めて小さく、用紙Ｙをスムーズに挿入できる。
また、図１５（ｂ）のように用紙Ｙを挿入後、用紙押え板７１を手動力Ｆで押し下げるが、用紙台ばね７０Ｃのばね力が用紙押え板７１を押し付けるように働き、用紙Ｙの用紙同士をずれないようにする。この状態で把手部７１Ａにより用紙台７０を後方に止まるまで押し込むことにより図２１のように綴じる準備が出来る。
【００３６】
ここで、仮に図１５（ｂ）のまま用紙台７０を動かさずに、レバー３０を下降作動させた場合、操作プレート３４に設けられた突起部３７が、用紙台７０の後方に設けた下降ストッパ７０Ｄの上部に当り、下降作動が出来ない。従って、誤って用紙台７０を動かさないでレバー３０を作動させた場合の空綴じを防止できる。
図２１は用紙Ｙを用紙台７０に載置して、用紙押え板７１の把手部７１Ａを手動力Ｆで押して用紙台７０を所定の位置まで押し込み、同時に貼着テープ２０がテープ支持台５Ａに供給され定置された状態である。この状態では、前述の用紙台７０の後方に設けた下降ストッパ７０Ｄは、操作プレート３４に設けられた突起部３７から後方に移動しているため、レバー３０の綴じ作動が可能な状態にある。
【００３７】
次に、テープカセット２２による貼着テープ２０の供給機能について説明する。
図１６に示すように、作動前の待機状態はテープリール２１に巻き取られている剥離テープ２０Ａが引き出されて、テープ先端をテープ供給口２２Ｖに挿通されている。その後、テープ供給台２２Ｂ上を通り、前方先端部分のテープ供給端２２Ｑで下方に折り返し、テープ排出通路２２Ｃを通り、後方のテープ排出口２２Ａを経て排出される。
この供給過程において、テープ排出通路２２Ｃ上に位置する戻り防止爪２２Ｄは、剥離テープ２０Ａがテープ排出口２２Ａに排出されずに、逆に戻ろうとした場合、その戻りを防止するものである。また、同じくテープ排出通路２２Ｃ上に位置するテープ送り爪２２Ｅは、剥離テープ２０Ａをテープ排出口２２Ａの方向に移動しながら送る移動爪である。なお、戻り防止爪２２Ｄとテープ送り爪２２Ｅは、爪部を剥離テープ２０Ａの送り穴２０Ｄに挿入されている。
この作動前の待機状態では、当然、用紙台７０は後方に動かされていない。このため、用紙台７０の供給座７０Ｅは送り台２２Ｈの供給受座２２Ｆを押さずに静止している。
同様に、用紙台７０の供給座７０Ｅはカセット固定台２２Ｋの逃し受座２２Ｎとは離れて静止している。
【００３８】
図１６の作動前の待機状態から、テープ支持台５Ａに貼着テープ２０を定置する作動を図１７に示す。用紙台７０に用紙Ｙを載せて後方に押し込む。この押し込み過程において、まず、用紙台７０の供給座７０Ｅが供給受座２２Ｆを押すことにより、送り台２２Ｈが送り復帰ばね２２Ｇを撓ませて後方に移動する。この時、送り台２２Ｈに設けられたテープ
送り爪２２Ｅが、剥離テープ２０Ａを送り穴２０Ｄ間の一ピッチ分だけ後方に送る。
この送り動作により、貼着テープ２０は、剥離テープ２０Ａに乗せられてテープ供給口２２Ｖからテープ供給台２２Ｂ上を通り、テープ供給端２２Ｑに到達する。ここで、剥離テープ２０Ａは下方に折り返すが、折り返しの半径が極めて小さいため、剥離テープ２０Ａから貼着テープ２０のみ折り返さずに前方に外れて、テープ支持台５Ａに着地する。この状態で貼着テープ２０は、一対の切抜刃２の間に定置され、綴じ作動におけるテープ供給作動が完了する。なお、テープ送り爪２２Ｅが後方に移動後、綴じ作動完了で供給座７０Ｅが待機状態に戻ると、テープ送り爪２２Ｅも前方に復帰するが、この時、テープ送り爪２２Ｅの抵抗で剥離テープ２０Ａも前方に戻ろうとする。この戻りを防ぐために戻り防止爪２２Ｄが作用する。
【００３９】
ここで、貼着テープ２０の供給作動が完了した状態のままでは、切抜刃２と共に刃ケース３が下降した場合、テープ供給端２２Ｑに当り下降できない。
このため図１８に示すように、貼着テープ２０の供給作動が完了した後、さらに把手部７１Ａにより、用紙台７０を後方に移動量Ｓ分の停止するまで押し込む。
これにより、テープ供給端２２Ｑは刃ケース３の端から隙間Ｓ１分だけ離れる。同時に、用紙台７０も後方に移動しているため、用紙台７０の後方に設けた下降ストッパ７０Ｄが操作プレート３４に設けられた突起部３７から外れるため、レバー３０による綴じ作動が可能になる。
【００４０】
このテープカセット２２は、貼着テープ２０が無くなるとテープリール２１の交換が必要となる。図１９にテープリール２１を交換する手順を示す。
図１９の（ａ）は、本体１の台座１Ｂに備えられたスライド台座２３の挿入部２２Ｌに
カセット固定台２２Ｋに設けられた装着軸２２Ｊが挿入され固定している待機状態である。
カセット固定台２２Ｋにはテープカセット２２が取付けられている。
図１９の（ｂ）は、スライド台座２３の挿入部２２Ｌから装着軸２２Ｊを後方に引き抜いて、テープカセット２２を取り出した状態である。
このように、テープカセット２２は、本体１から単体で取り出せるため、テープリール２１の交換が容易になる。
【００４１】
テープリール２１の交換要領を図２０に示す。
カセットボックス２２Ｐに新しいテープリール２１を装着し、カセット軸２２Ｉを軸にカセットボックス２２Ｐを持ち上げる。剥離テープ２０Ａの先端を引き出し、テープ供給口２２Ｖを通して、テープ供給台２２Ｂのテープ供給端２２Ｑを折り返し、テープ排出口２２Ａから引き出す。この状態でカセットボックス２２Ｐを元に戻すが、ここで、剥離テープ２０Ａの送り穴２０Ｄに、テープ送り爪２２Ｅと戻り防止爪２２Ｄが合うように調整する。これで、テープリール２１の交換が完了したため、取り外し時とは逆にカセット固定台２２Ｋの装着軸２２Ｊをスライド台座２３の挿入部２２Ｌに挿入する。
【００４２】
次に、レバー３０を押下げて複数枚の用紙Ｙを綴じる作動について詳しく説明する。
図２２は、レバー３０を下方に作動させて、切抜刃２が垂直になった状態を示す。
レバー３０は操作プレート３４を介して押しリング２Ｈを下降させる。押しリング２Ｈは
切刃押し棒２Ｆを押下げ、上刃軸２Ｅを回転軸にして一対の切刃リンク２Ｄを外方向に押し広げる。切刃リンク２Ｄは、下側の中刃軸２Ｃ介して刃リンク部２Ｂを外方向に広げる。この刃リンク部２Ｂが下刃軸２Ａを回転軸にして回転すると、一体形状の切抜刃２も外回りに回転し、刃先が下向きの直立になり一対同士で向い合う。切抜刃２はこの状態で綴じ作動の準備が整う。また、切抜刃２の刃先が下向きの直立になることにより、テープ支持台５Ａに定置していた貼着テープ２０の両端の貼着面２０Ｂが折れ曲がり、切抜刃２のテープ溝２Ｊに内挿される。
ここで、貼着テープ２０は切抜刃２に内挿された状態で折れ曲がるため、貼着テープ２０の内挿位置がずれることもなく、また、直接切抜刃２で折り曲げているため、貼着面２０Ｂがテープ溝２Ｊ側に張りを持って内挿される。このため切抜刃２から貼着テープ２０が外れ難い利点がある。
【００４３】
次に、切抜刃２の刃先が下向きの直立になって下降を始める場合、テープ支持アーム５が図２３の（ａ）および（ｃ）の状態から図２３（ｂ）および（ｄ）のように、刃ケース３の下降で接触しないように支持台カム５Ｃの作用により前方に回転移動する。これはアーム軸５Ｂに設けられた支持台ばね５Ｄのねじり力がテープ支持アーム５を前方に回転するように作用しているためである。
待機状態では図２３の（ａ）および（ｃ）に示すように、支持台カム５Ｃは刃ケース３と一体のケースカム３Ｂにより前方回転が止められている。
図２３（ｂ）および（ｄ）に示すように、刃ケース３が下降を始めるとケースカム３Ｂも下降し、ストロークＳ２分下降すると、支持台カム５Ｃは支持台ばね５Ｄの作用により前方に回転する。この時、刃ケース３の端部とテープ支持台５Ａとは間隙Ｓ３が開く。
このテープ支持アーム５が回転を始めるタイミングは、貼着テープ２０が切抜刃２の直立作用で切抜刃２に内挿された直後である。
【００４４】
レバー３０をさらに下降作動させると、図２４に示すように、切抜刃２が用紙Ｙに切り抜き穴を明けて貫通する。この時、貼着テープ２０も切抜刃２のテープ溝２Ｊに内挿されたまま用紙Ｙを貫通する。
【００４５】
次に図２５に示すように、用紙Ｙの下側に貫通した切抜刃２の両側面から、テープ曲げ片５５Ｃが曲げ穴２Ｉを貫通して挿入される。このため、貼着面２０Ｂが用紙Ｙの裏面に折り曲げられ、さらに図２６に示すように、一対の切抜刃２の間から押付け棒５６が上昇し、折り曲げられた貼着面２０Ｂを下側から用紙Ｙの裏面に押し付ける。この時、テープ曲げ片５５Ｃは押付け棒５６に曲げ片溝５６Ａが設けられているため、押し付けられることはない。
この機能は、後述の作用で下部ピン５３が押し上げられることにより、接続されているばねピース５４とリンクロッド５４Ｂを介してＶリンク５５を押し上げる。このためＶリンク５５の先端に設けられたテープ曲げ片５５Ｃが中心方向に移動して、貼着面２０Ｂを折り曲げる。さらに下部ピン５３が押し上げられると、押付け棒５６が上昇して貼着面２０Ｂを下から押し付ける。この時、ばねケース５４も上昇するが、図２６のようにリンクばね５４Ａが押付け棒５６とばねケース５４との上昇差を吸収して撓む。
【００４６】
ここで、前述のテープ曲げ片５５Ｃと押付け棒５６の作動について作動順に説明する。図２７に示すように、レバー３０を下降作動することにより、操作ピン３３を介して操作プレート３４の操作カム３５が下降する。操作カム３５は下降すると下方に位置するスライドカム５０のカム穴５０Ａに挿入される。同時に、レバー３０を下降作動することにより、操作プレート３４の押し操作面３６が下降する。この押し操作面３６が下降すると下方に位置する操作受け棒５１Ａの上端部分に当接する。
図２７の状態からさらに下降させると、図２８に示すように操作カム３５の先端の勾配作用により、スライドカム５０がカム復帰ばね５０Ｃのばね力に抗して前方に移動する。
この移動により、スライドカム５０の後方に設けられたカム座５０Ｂが前方に移動する。
カム座５０Ｂが前方に移動することにより、カム座５０Ｂに下降を抑止させられていた支えピース５１が下降を開放される。なお、図２８では支えピース５１が下降を開始する寸前の状態を示している。
【００４７】
また、同様に図２７の状態からさらに下降させると、スライドカム５０の作動と共に、図２８に示すように操作プレート３４の押し操作面３６が、操作受け棒５１Ａに設けられた下作動ばね５１Ｂを撓まして、支えピース５１を下降させるためのばね圧縮力を蓄える。
この下作動ばね５１Ｂのばね圧縮力により、下降を開放された支えピース５１は下部作動棒５１Ｅと共に下降作動を始める。
ここで、操作カム３５がスライドカム５０の移動を完了するタイミングは、切抜刃２が用紙Ｙを完全に貫通した時点である。
【００４８】
図２９では、カム座５０Ｂの移動により下降を開放された支えピース５１が、下作動ばね５１Ｂの蓄えたばね圧縮力により下降した状態を示している。
支えピース５１は一体に設けられた下部作動棒５１Ｅを下降させる。下部作動棒５１Ｅは台座１Ｂを貫通し、下部取り付台５１Ｆを介して逆向防止爪５１Ｇを下降させる。
逆向防止爪５１Ｇは爪レバー５２Ａを押しながら下降する。爪レバー５２Ａは下軸５２Ｂを支点にして、下部レバー５２に設けた下部ピン５３を上昇させる。この下部ピン５３の上昇により、図２６に示すように、テープ曲げ片５５Ｃが貼着テープ２０の貼着面２０Ｂを折り曲げ、押付け棒５６が上昇して貼着面２０Ｂを用紙Ｙの裏面に貼り付ける。
【００４９】
下降した逆向防止爪５１Ｇは、さらに爪レバー５２Ａを押して図２９に示すように爪レバー５２Ａの下に抜ける。この爪レバー５２Ａの開放により下部レバー５２は、下部ねじりばね５２Ｃのねじりの戻り作用により、図３０に示すように下部ピン５３を下方に復帰させる。即ち図３０に示す状態では、押付け棒５６が上昇して貼着面２０Ｂを用紙Ｙの裏面に貼り付ける作動まで全て完了し、作動前の待機状態に復帰している。
この図３０においてレバー３０の手動力を開放すると、下作動復帰ばね５１Ｃの作用により逆向防止爪５１Ｇは上昇するが、上部に爪レバー５２Ａが位置する。ここで、逆向防止爪５１Ｇの爪ばね５１Ｈが撓んで、爪レバー５２Ａをかわしながら上昇し、図８に示す待機状態に復帰する。
【００５０】
ここで、下部ねじりばね５２Ｃの作用を図３１で説明する。図３１は下部レバー５２を上面から見た図である。逆向防止爪５１Ｇが爪レバー５２Ａを押しながら下降する場合、下部レバー５２を介して押付け棒５６が上昇して、貼着面２０Ｂを用紙Ｙの裏面に貼り付ける。この時、押付け棒５６は上昇が止められるが、爪レバー５２Ａはさらに下降する。このストローク差を下部ねじりばね５２Ｃが吸収して、爪レバー５２Ａは所定の位置まで下降させる。
【００５１】
次に、レバー３０の下降作動中、途中で押し作動を中断した場合に生じる不具合を防止する戻り防止機構Ｗについて、レバー軸３０Ａ周りの図３２で説明する。
構造は、本体１または後述の本体１Ｎに一体のレバーケース１Ｈに収納され、中心にレバー３０に連結したレバー軸３０Ａが位置している。レバー軸３０Ａと一体でスイングプレート３０Ｂが設けられている。スイングプレート３０Ｂの外側には、摩擦輪３０Ｅを有し、ロックレバー３０Ｄと一体のロックリング３０Ｃが設けられている。このロックリング３０Ｃは、レバーケース１Ｈに設けられたボール１Ｊが入る半球溝３０Ｆと、引張ばねのロックばね３０Ｇを備えている。また、スイングプレート３０Ｂには、外周部分に閉用突起３０Ｈと開用突起３０Ｉが設けられている。
【００５２】
この構造の基本は摩擦輪３０Ｅによる戻り防止機能である。
図３２（ａ）は、レバー３０の待機状態である。図３２（ｂ）はレバー３０が閉矢印ＬＳ分の下降作動を始めた状態で、レバー３０と共にスイングプレート３０Ｂが回転した状態で、スイングプレート３０Ｂと摩擦輪３０Ｅはロックすることなく回転する。しかし、この状態から逆転する場合、即ちレバー３０を戻そうとしても摩擦輪３０Ｅがレバーケース１Ｈとスイングプレート３０Ｂに食い込み、戻れないという戻り防止機構Ｗが機能する。
図３２（ｃ）は、レバー３０の作動終了の状態である。閉用突起３０Ｈがロックばね３０Ｇに抗してロックリング３０Ｃを押して、半球溝３０Ｆにボール１Ｊが挿入されている。
これによりロックリング３０Ｃは、その位置が固定される。従って、摩擦輪３０Ｅもロックリング３０Ｃの動き分だけ回転し、レバーケース１Ｈとの間に微小隙間Ｓ５が生じる。
微小隙間Ｓ５が生じることにより、図３２（ｄ）に示すように、レバー３０による開矢印ＬＯの復帰作動では、逆転ロックすることなく待機状態に戻る。待機状態では図３２（ａ）に示すように、開用突起３０Ｉがロックリング３０Ｃを押すため、戻り防止機能が復帰する。
【００５３】
次に、綴じ具１００の作動後に待機状態に復帰する場合、通常は主復帰ばね４が解放され、その後、刃復帰ばね２Ｇが解放されるが、万一切抜刃２に何らかの抵抗が働くと、先に刃復帰ばね２Ｇが解放される誤作動が生じ、待機状態への復帰作動に支障が出る。
これを防止するため、刃ケース３にロックピン８１を設けて、必ず主復帰ばね４が先に解放されるようにする。
【００５４】
図３３はロックピン８１の作用を示す。
図３３（ａ）は待機状態で、押しリング２Ｈにピン穴８０を設け、刃ケース３にロックばね８１Ａと押され勾配部８１Ｂを有するロックピン８１を設けている。また、駆動箱１Ａには押し出し部３Ｃを備えている。
図３３（ｂ）は押しリング２Ｈが下降した状態で、押しリング２Ｈのピン穴８０にロックピン８１が挿入されて、押しリング２Ｈが固定されている。これは下降により、押し出し部３Ｃの上部勾配がロックピン８１の後部に設けた押され勾配部８１Ｂを、ピン穴８０側に押すように作用するためである。
図３３（ｃ）は綴じ作動が終了した最下端の状態を示す。この状態で上昇復帰する場合、押しリング２Ｈはロックピン８１により固定されているので刃復帰ばね２Ｇは解放されない。従って、誤作動せず主復帰ばね４のみが解放される。復帰作動で図３３（ｂ）まで上昇すると、押し出し部３Ｃの上部勾配で、ロックピン８１がピン穴８０から退出するため、刃復帰ばね２Ｇが解放されて、図３３（ａ）の待機状態に復帰する。
【実施例２】
【００５５】
本発明の綴じ具２００は、実施例１の綴じ具１００の切抜部Ｋと供給部Ｔ、および用紙載置部Ｍは同一であり、作動部Ｌと貼付け部Ｐの構造が相違する。特に貼付け部Ｐが下方向に下降して作動する特徴を有する。
【００５６】
次に、綴じ具２００の各主要部の詳細構造について図３４〜図３８により説明する。なお、説明は実施例１と構造が異なる作動部Ｌと貼付け部Ｐについて行う。
綴じ具２００の全ての部品は、本体１Ｎにより支持されている。本体１Ｎは図３８に示すように、中心部に切抜部Ｋを収納する改駆動箱Ｎ１Ａと、各構成部分を配置する改台座Ｎ１Ｂと、本体全体を支える改側板Ｎ１Ｓで形成されている。
作動部Ｌ周りの詳細を図３４に示す。
レバー３０はレバー軸３０Ａを軸にして下方に回転し、レバー３０の側面には操作長穴３２を設け、内部に操作ピン３３を挿入している。操作ピン３３はレバー３０の上部中央に位置する改操作プレートＮ３４と一体的に取り付いている。
改操作プレートＮ３４は両端に操作ピン３３を設けると共に、下部に後述の貼付け部Ｐ周りを動作させるためのストロークカムＮ３５を設け、後方には空綴じ防止の突起部３７を備えている。ストロークカムＮ３５にはプッシュピン穴Ｎ３９が設けられている。また、改操作プレートＮ３４の中央部分には押しリング２Ｈに接続する接続部３８を設けている。
【００５７】
次に貼付け部Ｐ周りの詳細を図３４に示す。
貼付け部Ｐは、貼付けケース１Ｅに内蔵され、ケース壁１Ｆにより改側板Ｎ１Ｓと上下方向に摺動する。貼付けケース１Ｅと改台座Ｎ１Ｂの間は下部支持ばね９４により支持されている。また、改台座Ｎ１Ｂの下部には支持ガイド１Ｇが設けられ、貼付けケース１Ｅの
ケースガイド１Ｈと上下方向に摺動可能に設けられている。
貼付けケース１Ｅに内蔵されたスライドピース９０は、中央部分にストロークカムＮ３５が挿入される改カム穴９０Ａを設け、後方にスライドピース９０を復帰させる改カム復帰ばね９０Ｂが設けられている。スライドピース９０外周にはスライドピース９０を内蔵するカムケース９１が設けられ、その上部にロックカム９２が取付けられている。
ロックカム９２の上部の改台座Ｎ１Ｂ内には前方先端にプッシュピン９３Ａとロック穴９３Ｃを有するロックピース９３が設けられている。ロックピース９３の後方にはプッシュピン９３Ａを復帰させる引張ばねのピン復帰ばね９３Ｂが設けられている。
【００５８】
図３７に示すように、貼付けケース１Ｅには改押付け棒９５と改ばねケース９６が一体的に設けられている。
改ばねケース９６は、内部にリングばね５４Ａを備え、上方にリンクロッド５４Ｂを設けており、上部で一対のＶリンク５５を連結駆動している。また、改押付け棒９５は上部にテープ曲げ片５５Ｃが出入りする曲げ片溝５６Ａが設けられている。
一対のＶリンク５５は、前リンク５５Ａと後リンク５５Ｂからなり、前リンク５５Ａの先端にはテープ曲げ片５５Ｃが設けられている。一対のＶリンク５５の中心部には切抜刃２が出入可能な改刃筒９７が設けられている。改刃筒９７の下部中心部分には改押付け棒９５が挿入され、上下動可能になっている。
【００５９】
次に、実施例２の作用について図３４〜図３７で詳細説明する。
作用については、複数の用紙Ｙを用紙台７０に載置する準備作業と、テープカセット２２からの貼着テープ２０の供給機能と、レバー３０による押下げ作動で複数枚の用紙Ｙを綴じる作動、および貼着テープ２０を用紙裏面で折り曲げて接着する作業がある。
ここで、実施例２と実施例１の相違は、貼着テープ２０を用紙裏面で折り曲げて接着する作業のみである。従って、貼着テープ２０を用紙裏面で折り曲げて接着する作用について説明する。
【００６０】
複数の用紙Ｙを用紙台７０に載置する準備作業と、テープカセット２２からの貼着テープ２０の供給する作業が完了してレバー３０を押下げる。図３４では、改台座Ｎ１Ｂの下部に設けられた支持ガイド１Ｇの下端はスライドピース９０の先端に支えられている。
図３４の待機状態からレバー３０を押下げると切抜刃２が下降するが、この時、ストロークカムＮ３５も下降し、ストロークカムＮ３５の先端の勾配部がスライドピース９０の改カム穴９０Ａに挿入される。
図３５は、切抜刃２が用紙Ｙを貫通完了した状態である。ストロークカムＮ３５はスライドピース９０を改カム復帰ばね９０Ｂに抗して後方に移動させ、スライドピース９０の先端が支持ガイド１Ｇの下端から外れた状態である。この時、ストロークカムＮ３５のプッシュピン穴Ｎ３９はプッシュピン９３Ａと同一位置まで下降している。
【００６１】
図３６は、図３５の状態から、レバー３０によりさらに下降させると図３５でスライドピース９０の先端が支持ガイド１Ｇの下端から外れているため、支持ガイド１Ｇは上部の切抜部Ｋなどを支持している改台座Ｎ１Ｂと共に下部支持ばね９４に抗して下降している。これにより、テープ曲げ片５５Ｃが用紙Ｙの裏面に出た貼着面２０Ｂを折り曲げ、さらに、改押付け棒９５の押付け力により貼着面２０Ｂを貼り付けた状態である。
この下降に伴い、ロックカム９２がロックピース９３のロック穴９３Ｃに挿入され、プッシュピン９３Ａがピン復帰ばね９３Ｂに抗して前方に出て、プッシュピン穴Ｎ３９に挿入される。これにより、レバー３０はストロークカムＮ３５からプッシュピン９３Ａを介して改台座Ｎ１Ｂにロックされる。
【００６２】
図３６の綴じ作動完了状態からレバー３０を戻すと、まず、下部の貼付け部Ｐが図３５の状態に復帰する。その後、図３５ではプッシュピン穴Ｎ３９からプッシュピン９３Ａが抜けるため、切抜刃２が上昇する。
このように、復帰順序としては貼付け部Ｐが復帰し、次に切抜刃２が上昇するのであるが、仮にプッシュピン９３Ａが設けられていない場合、何らかの事情で先に切抜刃２が上昇すると、テープ曲げ片５５Ｃが切抜刃２の曲げ穴２Ｉに引っ掛かり不具合を生じることになる。これを防止するため、貼付け部Ｐが復帰するまでプッシュピン９３Ａでレバー３０をロックして切抜刃２の上昇を防いでいる。
即ち、プッシュピン９３Ａは切抜刃２の誤動作防止のためにある。
【符号の説明】
【００６３】
１００    綴じ具                    ２００    綴じ具
Ｋ        切抜部                    Ｌ        作動部
Ｍ        用紙載置部                Ｐ        貼付け部
Ｔ        供給部                    Ｙ        用紙
ＹＨ      切抜穴                    Ｆ        手動力
Ｓ        移動量                    Ｓ１      隙間
Ｓ２      ストローク                Ｓ３      間隙
Ｓ５      微小隙間
ＬＳ      閉矢印                    ＬＯ      開矢印
Ｎ        空綴じ防止機構            Ｗ        戻り防止機構
１        本体                      １Ａ      駆動箱
１Ｂ      台座                      １Ｄ      底板
１Ｈ      レバーケース              １Ｊ      ボール
１Ｓ      側板                      １Ｎ      本体
Ｎ１Ａ    改駆動箱                  Ｎ１Ｂ    改台座
Ｎ１Ｓ    改側板                    １Ｅ      貼付けケース
１Ｆ      ケース壁                  １Ｇ      支持ガイド
１Ｈ      ケースガイド
２        切抜刃                    ２Ａ      下刃軸
２Ｂ      刃リンク部                ２Ｃ      中刃軸
２Ｄ      切刃リンク                ２Ｅ      上刃軸
２Ｆ      切刃押し棒                ２Ｇ      刃復帰ばね
２Ｈ      押しリング                ２Ｉ      曲げ穴
２Ｊ      テープ溝                  ２Ｋ      テープ逃し溝
２Ｓ      直線                      ２Ｕ      勾配                      
２Ｙ      刃リンク機構
３        刃ケース                  ３Ｂ      ケースカム
３Ｃ      押し出し部                ４        主復帰ばね
５        テープ支持アーム          ５Ａ      テープ支持台
５Ｂ      アーム軸                  ５Ｃ      支持台カム
５Ｄ      支持台ばね
２０      貼着テープ                ２０Ａ    剥離テープ
２０Ｂ    貼着面                    ２０Ｃ    クラウン部
２０Ｄ    送り穴
２１      テープリール              ２２      テープカセット
２２Ａ    テープ排出口              ２２Ｂ    テープ供給台
２２Ｃ    テープ排出通路            ２２Ｄ    戻り防止爪
２２Ｅ    テープ送り爪              ２２Ｆ    供給受座
２２Ｇ    送り復帰ばね              ２２Ｈ    送り台
２２Ｉ    カセット軸                ２２Ｊ    装着軸
２２Ｋ    カセット固定台            ２２Ｌ    挿入部
２２Ｍ    引張ばね                  ２２Ｎ    逃し受座
２２Ｐ    カセットボックス          ２２Ｑ    カセット供給端
２２Ｖ    テープ供給口              ２３      スライド台座
３０      レバー
３０Ａ    レバー軸                  ３０Ｂ    スイングプレート
３０Ｃ    ロックリング              ３０Ｄ    ロックレバー
３０Ｅ    摩擦輪                    ３０Ｆ    半球溝                    
３０Ｇ    ロックばね                ３０Ｈ    閉用突起
３０Ｉ    開用突起
３２      操作長穴                  ３３      操作ピン
３４      操作プレート              ３５      操作カム
３６      押し操作面                ３７      突起部
３８      接続部
Ｎ３４    改操作プレート            Ｎ３５    ストロークカム
Ｎ３９    プッシュピン穴
５０      スライドカム              ５０Ａ    カム穴
５０Ｂ    カム座                    ５０Ｃ    カム復帰ばね
５１      支えピース                ５１Ａ    操作受け棒
５１Ｂ    下作動ばね                ５１Ｃ    下作動復帰ばね
５１Ｅ    下部作動棒                ５１Ｆ    下部取り付台
５１Ｇ    逆向防止爪                ５１Ｈ    爪ばね
５２      下部レバー                ５２Ａ    爪レバー
５２Ｂ    下軸                      ５２Ｃ    下部ねじりばね
５３      下部ピン
５４      ばねケース                ５４Ａ    リンクばね
５４Ｂ    リンクロッド
５５      Ｖリンク                  ５５Ａ    前リンク
５５Ｂ    後リンク                  ５５Ｃ    テープ曲げ片
５６      押付け棒                  ５６Ａ    曲げ片溝
５７      下部ガイド                ５８      刃筒
７０      用紙台                    ７０Ａ    用紙台軸
７０Ｂ    へこみ部                  ７０Ｃ    用紙台ばね
７０Ｄ    下降ストッパ              ７０Ｅ    供給座
７１      用紙押え板                ７１Ａ    把手部
７２      スライド止め              ７２Ａ    止め軸
７２Ｂ    移動止め部
８０      ロックピン                ８１Ａ    ロックばね
８１Ｂ    押され勾配部
９０      スライドピース            ９０Ａ    改カム穴
９０Ｂ    改カム復帰ばね            ９１      カムケース
９２      ロックカム                ９３      ロックピース
９３Ａ    プッシュピン              ９３Ｂ    ピン復帰ばね
９３Ｃ    ロック穴
９４      下部支持ばね              ９５      改押付け棒
９６      改ばねケース              ９７      改刃筒
【要約】
【課題】  金属製の針を使用せずに複数枚の用紙を綴じるために、従来の綴じ具の場合、綴じ孔が一ヶ所のものでは、用紙同士にずれが生じる問題があり、また、用紙を挿入しないで操作する空綴じを行った場合、綴じ具の内部でステーブルが詰まり、作動不具合が生じる問題があった。
【解決手段】  複数枚の用紙に、一対の切抜刃２で貼着テープ２０を用紙裏面に挿通し、
貼着面２０Ｂを用紙裏面に貼り付ける。この一連の綴じ作動を行うため、操作力を用紙台７０の前後進作動とレバー３０の上下作動の二ヶ所に分散して、綴じ具の小型化と簡素化を図る。
また、児童が使用した場合を考えて、用紙を載せないで綴じる場合の不具合を無くす空綴じ防止機構Ｎと、レバー作動を途中で中断した場合の不具合を無くす戻り防止機構Ｗを設ける。これにより、児童が予期せぬ取扱いを行った場合にも対処出来るコンパクトな綴じ具を提供する。
【選択図】        図１【図１】
0005892285.tif 000002
【図２】
0005892285.tif 000003
【図３】
0005892285.tif 000004
【図４】
0005892285.tif 000005
【図５】
0005892285.tif 000006
【図６】
0005892285.tif 000007
【図７】
0005892285.tif 000008
【図８】
0005892285.tif 000009
【図９】
0005892285.tif 000010
【図１０】
0005892285.tif 000011
【図１１】
0005892285.tif 000012
【図１２】
0005892285.tif 000013
【図１３】
0005892285.tif 000014
【図１４】
0005892285.tif 000015
【図１５】
0005892285.tif 000016
【図１６】
0005892285.tif 000017
【図１７】
0005892285.tif 000018
【図１８】
0005892285.tif 000019
【図１９】
0005892285.tif 000020
【図２０】
0005892285.tif 000021
【図２１】
0005892285.tif 000022
【図２２】
0005892285.tif 000023
【図２３】
0005892285.tif 000024
【図２４】
0005892285.tif 000025
【図２５】
0005892285.tif 000026
【図２６】
0005892285.tif 000027
【図２７】
0005892285.tif 000028
【図２８】
0005892285.tif 000029
【図２９】
0005892285.tif 000030
【図３０】
0005892285.tif 000031
【図３１】
0005892285.tif 000032
【図３２】
0005892285.tif 000033
【図３３】
0005892285.tif 000034
【図３４】
0005892285.tif 000035
【図３５】
0005892285.tif 000036
【図３６】
0005892285.tif 000037
【図３７】
0005892285.tif 000038
【図３８】
0005892285.tif 000039